(57)【要約】【課題】コア案内部をスライドコア側から挿入されるボルトで支障なく固定できるスライドコア装置を提供する。【解決手段】スライドコア装置５は、スライドコア６を、キャビティ４を形成する成形位置Ｓ２と退避位置Ｓ１との間で移動自在に案内するコア案内部７と、スライドコア６に設けられてスライドコア６を成形位置Ｓ２から退避位置Ｓ１に向けて付勢する付勢機構１６とを備える。付勢機構１６は、スライドコア６の成形位置Ｓ２側の端面１７から突出部１８を突出させ、第１金型１の押当て面１９に押し当てることにより前記付勢を行うものであり、コア案内部７は、その案内条溝部１４の底面１５に設けられた座ぐり穴２８を介して挿入されるボルト３２で第１金型１に固定される。【選択図】図１
2017030331.tif 000002
【特許請求の範囲】
【請求項１】
第１方向に開放し及び閉塞する第１金型及び第２金型のうちの第１金型上で、該第１方向と交差する第２方向に駆動されるスライドコアと、
前記スライドコアを、前記第２方向に沿って、前記第１金型及び第２金型とともに成形用のキャビティを形成する成形位置とそこから離れた退避位置との間で移動自在に案内するように前記第１金型に固定されるコア案内部と、
前記第２金型に固定されたカム部であって、前記第１方向の開放及び閉塞に伴って前記第１金型に対して相対的に移動するときに、閉塞時には前記成形位置に向かう方向の力を付与して前記スライドコアを前記成形位置に位置させ、開放時には前記退避位置に向かう方向の力を該スライドコアに付与するカム面を有するものと、
前記スライドコアに設けられ、該スライドコアを前記成形位置から前記退避位置に向けて付勢する付勢機構とを備え、
前記スライドコアは前記コア案内部側に突出して前記第２方向に延在する凸条部を有し、
前記コア案内部は、前記凸条部を前記第２方向に案内する溝状で底面を有する案内条溝部を有し、
前記付勢機構は、
前記スライドコアの前記成形位置側の端面から前記第２方向に沿って突出する突出部と、
前記第１金型における前記退避位置の方向に向いた押当て面に対して前記突出部を押し当てることにより前記スライドコアを前記退避位置に向けて付勢する押圧機構とを備え、
前記案内条溝部の底面には、ボルトの頭部が配置される座ぐり穴が設けられ、
前記第１金型に対する前記コア案内部の固定は、該コア案内部に対して前記案内条溝部側から前記座ぐり穴を介して挿入される前記ボルトで行われることを特徴とするスライドコア装置。
【請求項２】
前記押圧機構は、
前記スライドコアに設けられ、前記突出部を前記第２方向に案内する案内孔と、
前記突出部の基端側及び前記案内孔の出口側に設けられ、相互に当接して該突出部の突出量を規制する突出量規制部と、
前記案内孔の底部と前記突出部の基端部との間に配置され、該突出部を突出方向に付勢する付勢部材とを備えることを特徴とする請求項１に記載のスライドコア装置。
【請求項３】
前記コア案内部には、前記案内条溝部の底面から突出して該スライドコアを前記退避位置に位置決めするためのボールプランジャが設けられ、
前記案内条溝部は、前記コア案内部の前記退避位置側の端面に到るまで設けられていることを特徴とする請求項１又は２に記載のスライドコア装置。
【請求項４】
前記カム部は、前記第１方向と前記第２方向とに交差する第１カム駆動面と、これと反対側に向いた第２カム駆動面とを有し、
前記スライドコアは、
前記第１金型及び前記第２金型が閉塞するときに前記第１カム駆動面からの力を受けて前記スライドコアを前記成形位置に位置させる第１従動面と、
前記第１金型及び前記第２金型が開放するときに前記第２カム駆動面からの力を受けて前記スライドコアに前記退避位置に向かう方向の力を付与する第２従動面とを備えることを特徴とする請求項１〜３のいずれか１項に記載のスライドコア装置。
【発明の詳細な説明】
【技術分野】
【０００１】
本発明は、成形用の金型に設けられるスライドコアを備え、該スライドコアを駆動させるスライドコア装置に関する。
【背景技術】
【０００２】
このようなスライドコア装置として、従来、金型の可動型側の分割面に固定され、金型の開閉方向と交差するスライド方向に沿ってスライドコアを案内するコア案内部を備えたものが知られている。コア案内部は、スライドコアに形成された被案内部に係合してスライドコアを上記スライド方向に案内する溝状のレール部を備え、このレール部により、スライドコアを、成形用のキャビティを形成する成形位置と、そこから離れた退避位置との間で移動し得るように案内する。（例えば、特許文献１参照）
特許文献１のスライドコア装置では、金型を開くときにスライドコアが重力によって退避位置から成形位置に戻るのを防止するために、成形位置から退避位置に向けてスライドコアを付勢する付勢機構が設けられる。付勢機構は、コア案内部において上記スライド方向に延在する案内孔と、案内孔内において上記スライド方向に移動自在に設けられた移動体と、移動体に弾性力を付与する弾性体とを備える。
【０００３】
コア案内部には、案内孔からスライドコアに向けて貫通し、かつ上記スライド方向に延在する長穴が設けられる。この長穴には、基端部が移動体に固定され、先端部がスライドコアに向けて突出する突出ピンが挿通される。弾性体は、移動体及び突出ピンを介してスライドコアに作用する弾性力によってスライドコアを退避位置の方向に付勢するように案内孔内に設けられる。スライドコアには、上記スライド方向に延在し、突出ピンの先端部が係合するとともに、一端部が突出ピンを係止するストッパとして機能し、他端部がコア案内部の端面に達する溝状の凹部が設けられる。
【０００４】
案内孔、長穴等をスライドコア側に設けて突出ピンをコア案内部側に突出させ、溝状の凹部をコア案内部側に設ける場合もある。この場合、金型の可動型に対するコア案内部の固定は、コア案内部に対してスライドコア側からボルトを挿入し、可動型の雌ねじに螺合させることによって行うこともできるとされている。ボルトの頭部は、コア案内部のレール部の底面に設けられた座ぐり穴に収容される。
【０００５】
これによれば、コア案内部を金型の分割面側から着脱できるので、金型を射出成形機から取り外すことなくコア案内部を交換して成形能率等の向上を図ることができるとされている。
【先行技術文献】
【特許文献】
【０００６】
【特許文献１】特許第３８４６４４８号公報
【発明の概要】
【発明が解決しようとする課題】
【０００７】
しかしながら、特許文献１のスライドコア装置では、案内孔等をスライドコア側に設け、溝状の凹部をコア案内部側に設ける場合でも、実際問題として、コア案内部を、スライドコア側からボルトを挿入して可動型に固定するのが困難な場合がある。すなわち、コア案内部のレール部の底面には溝状の凹部が存在するので、該底面に座ぐり穴を設けるのが困難な場合がある。
【０００８】
具体的には、コア案内部側に突出している突出ピンが緩んだ場合、突出ピンの先端が座ぐり穴やボルトと干渉して、スライドコアのスムーズな移動の障害になる恐れがある。また、突出ピンが緩んで座ぐり穴や溝状の凹部に落ちて動作不良となる恐れがある。
【０００９】
本発明の目的は、かかる従来技術の問題点に鑑み、コア案内部をスライドコア側から挿入されるボルトで支障なく固定できるスライドコア装置を提供することにある。
【課題を解決するための手段】
【００１０】
第１発明に係るスライドコア装置は、第１方向に開閉する第１金型及び第２金型のうちの第１金型上で、該第１方向と交差する第２方向に駆動されるスライドコアと、前記スライドコアを、前記第２方向に沿って、前記第１金型及び第２金型とともに成形用のキャビティを形成する成形位置とそこから離れた退避位置との間で移動自在に案内するように前記第１金型に固定されるコア案内部と、前記第２金型に固定されたカム部であって、前記第１方向の開放及び閉塞に伴って前記第１金型に対して相対的に移動するときに、閉塞時には前記成形位置に向かう方向の力を付与して前記スライドコアを前記成形位置に位置させ、開放時には前記退避位置に向かう方向の力を該スライドコアに付与するカム面を有するものと、前記スライドコアに設けられ、該スライドコアを前記成形位置から前記退避位置に向けて付勢する付勢機構とを備え、前記スライドコアは前記コア案内部側に突出して前記第２方向に延在する凸条部を有し、前記コア案内部は、前記凸条部を前記第２方向に案内する溝状で底面を有する案内条溝部を有し、前記付勢機構は、前記スライドコアの前記成形位置側の端面から前記第２方向に沿って突出する突出部と、前記第１金型における前記退避位置の方向に向いた押当て面に対して前記突出部を押し当てることにより前記スライドコアを前記退避位置に向けて付勢する押圧機構とを備え、前記案内条溝部の底面には、ボルトの頭部が配置される座ぐり穴が設けられ、前記第１金型に対する前記コア案内部の固定は、該コア案内部に対して前記案内条溝部側から前記座ぐり穴を介して挿入される前記ボルトで行われることを特徴とする。
【００１１】
第１発明では、スライドコアを付勢する付勢機構はスライドコアに設けられており、押圧機構によってスライドコアの退避位置側の端面から突出する突出部を第１金型の押当て面に押し当てることにより、スライドコアを成形位置から退避位置に向けて付勢する。したがって、従来のスライドコア装置で設けられていた、コア案内部とスライドコアとの間に突出するピンや、これと協働するコア案内部の溝状の凹部が不要となる。
【００１２】
したがって、第１発明によれば、何らの支障もなく、コア案内部の案内条溝部の底面に座ぐり穴を設け、座ぐり穴を介して挿入されるボルトでコア案内部を第１金型に固定することができる。
【００１３】
これにより、第１金型及び第２金型が開放した状態において、スライドコアをコア案内部から取り外すだけで、コア案内部を固定するボルトを、第１金型及び第２金型の分割面側から操作できるので、コア案内部の第１金型への取付け及び取外しを容易に行うことができる。
【００１４】
また、コア案内部は、その案内条溝部の底面から第２金型までの部材の厚さとして、座ぐり穴の高さと、そこに収容されるボルトの頭部を保持する強度を確保できる厚さがあれば足りるので、コア案内部の第１方向の寸法を減少させることができる。
【００１５】
また、コア案内部近傍の第１金型内に冷却用の水穴が存在する場合でも、コア案内部を固定するボルトが第１金型側から挿入されないので、容易にその水穴とボルトとの干渉を回避した構成を採用することができる。
【００１６】
第２発明に係るスライドコア装置は、第１発明において、前記押圧機構は、前記スライドコアに設けられ、前記突出部を前記第２方向に案内する案内孔と、前記突出部の基端側及び前記案内孔の出口側に設けられ、相互に当接して該突出部の突出量を規制する突出量規制部と、前記案内孔の底部と前記突出部の基端部との間に配置され、該突出部を突出方向に付勢する付勢部材とを備えることを特徴とする。
【００１７】
これによれば、案内孔と付勢部材により、押圧機構を簡単に構成することができる。また、突出量規制部により突出部の突出量が規制されるので、突出部や付勢部材をスライドコアから離脱させることなく、スライドコアをコア案内部から取り外すことができる。したがって、スライドコア等のメンテナンス時には、突出部や付勢部材を紛失することなく、容易にメンテナンスを行うことができる。
【００１８】
第３発明によれば、ボールプランジャにより退避位置に位置決めさているスライドコアをボールプランジャの押圧力に抗して退避位置方向に引き抜くことにより、スライドコアを容易にコア案内部から取り外すことができる。
【００１９】
第３発明に係るスライドコア装置は、第１又は第２発明において、前記コア案内部には、前記案内条溝部の底面から突出して該スライドコアを前記退避位置に位置決めするためのボールプランジャが設けられ、前記案内条溝部は、前記コア案内部の前記退避位置側の端面に到るまで設けられていることを特徴とする。
【００２０】
これによれば、退避位置に位置決めされたスライドコアを成形位置と反対の方向に引き抜くだけで、容易にコア案内部から取り外すことができる。
【００２１】
第４発明に係るスライドコア装置は、第１〜第３発明において、前記カム部は、前記第１方向と前記第２方向とに交差する第１カム駆動面と、これと反対側に向いた第２カム駆動面とを有し、前記スライドコアは、前記第１金型及び前記第２金型が閉塞するときに前記第１カム駆動面からの力を受けて前記スライドコアを前記成形位置に位置させる第１従動面と、前記第１金型及び前記第２金型が開放するときに前記第２カム駆動面からの力を受けて前記スライドコアに前記退避位置に向かう方向の力を付与するための第２従動面とを備えることを特徴とする。
【００２２】
これによれば、油圧シリンダ等を使用することなく簡単な構成でスライドコアを第１金型及び第２金型の開閉駆動に応じて成形位置と退避位置との間で移動させることができる。したがって、上記のスライドコア及びコア案内部の取付け取外しの容易性を損なうことが無い。
【図面の簡単な説明】
【００２３】
【図１】本発明の一実施形態に係るスライドコア装置の金型が開いた状態における断面図である。
【図２】図１のスライドコア装置の金型が閉じた状態における断面図である。
【図３】図３Ａは図１のスライドコア装置のスライドコア本体の正面図であり、図３Ｂはその右側面図であり、図３Ｃはその底面図である。
【図４】図４Ａは図１のスライドコア装置のコア案内部の上面図であり、図４Ｂはその正面図であり、図４Ｃはその右側面図である。
【図５】図１のスライドコア装置の金型が開いているときの状態を示す斜視図である。
【図６】図１のスライドコア装置の金型が閉じているときの状態を示す斜視図である。
【図７】図１の一部を拡大して示す断面図である。
【発明を実施するための形態】
【００２４】
以下、図面を用いて本発明の実施形態を説明する。図１は、本発明の一実施形態に係るスライドコア装置を有する金型の一部の断面図である。図１に示すように、金型は、第１方向Ｄ１に開放し及び閉塞する第１金型１及び第２金型２と、第１金型１及び第２金型２とともに成形品３を成形するためのキャビティ４（図２）を形成するスライドコア装置５を備える。ここでは、第１金型１を駆動させることにより、第１金型１及び第２金型２が開閉される。
【００２５】
スライドコア装置５は、第１金型１上で移動されるスライドコア６と、スライドコア６を退避位置Ｓ１と成形位置Ｓ２（図２）との間で移動自在に案内するコア案内部７と、スライドコア６を退避位置Ｓ１と成形位置Ｓ２との間で駆動するカム部８とを備える。コア案内部７は、第１金型１に固定される。
【００２６】
スライドコア６は、スライドコア本体９と、その上に六角穴付のボルト１０で固定された成形部１１とで構成される。スライドコア６が移動される方向は、第１方向Ｄ１と直交又は交差する第２方向Ｄ２である。
【００２７】
成形位置Ｓ２は、図２に示すように、スライドコア６が第１金型１及び第２金型２とともにキャビティ４を形成する位置である。退避位置Ｓ１は、図１に示すように、成形位置Ｓ２から離れてスライドコア６が退避した位置である。キャビティ４の形成に係る成形部１１の第２方向Ｄ２に垂直な面は、成形品のアンダーカット部分を成形するための凸部１２を有する。
【００２８】
カム部８は、第２金型２に対して六角穴付のボルト１３により固定され、第１金型１の第１方向Ｄ１への開閉駆動に伴って、スライドコア６から離れた第１位置Ｋ１と、スライドコア６を成形位置Ｓ２に位置させる第２位置Ｋ２（図２）との間で移動する。
【００２９】
このとき、カム部８は、後述するカム面を介して、第２位置Ｋ２へ移動する閉塞時には成形位置Ｓ２に向かう方向の力を付与してスライドコア６を成形位置Ｓ２に位置させ、第１位置Ｋ１に移動する開放時には退避位置Ｓ１に向かう方向の力をスライドコア６に付与する。
【００３０】
図３に示すように、スライドコア本体９は、コア案内部７側に突出して第２方向Ｄ２に延在する凸条部９ａを有する。凸条部９ａは、断面が凸字形状を有し、第１金型１側の幅が、第２金型２側の幅よりも大きくなっている。
【００３１】
図４に示すように、コア案内部７は、スライドコア６の案内を行うために、凸条部９ａを第２方向Ｄ２に案内する案内条溝部１４を有する。案内条溝部１４は溝状の形態を有し、底面１５を有する。また、案内条溝部１４は、断面が、凸条部９ａの断面に適合した形状を有し、コア案内部７の退避位置Ｓ１側の端面に到るまで設けられている。これにより、凸条部９ａを案内条溝部１４に対して退避位置Ｓ１側から嵌合させ、案内条溝部１４に案内させることができる。
【００３２】
図１に示すように、スライドコア装置５はスライドコア６を成形位置Ｓ２から退避位置Ｓ１に向けて付勢する付勢機構１６を備える。付勢機構１６は、金型を開くときにスライドコア６が重力によって成形位置Ｓ２に戻るのを阻止することにより、その後の型締め時にスライドコア６とカム部８とが衝突して、これらが破壊するのを防止する。また、付勢機構１６は、メンテナンス時に、作業者が誤ってスライドコア６に触れた場合に、スライドコア６が成形位置Ｓ２に戻るのを防止する。
【００３３】
付勢機構１６は、スライドコア６の成形位置Ｓ２側の端面１７から突出する突出部１８と、第１金型１における退避位置Ｓ１の方向に向いた押当て面１９に突出部１８を押し当てることによりスライドコア６を退避位置Ｓ１に向けて付勢する押圧機構２０とを備える。
【００３４】
押当て面１９は、ここでは、第１金型１の一部としてキャビティ４の形成に関与する可動側入れ子２１の第２方向Ｄ２に垂直な面により構成される。
【００３５】
図７に示すように、押圧機構２０は、スライドコア６に設けられた案内孔２２と、突出部の突出量を規制する突出量規制部２３と、突出部１８を突出方向に付勢する付勢部材としてのスプリングばね２４とを備える。案内孔２２は、突出部１８を第２方向Ｄ２に案内する。突出量規制部２３は、突出部１８の基端側及び案内孔２２の出口側に設けられ、相互に当接して突出部１８の突出量を規制するものである。
【００３６】
ここでは、突出量規制部２３は、突出部１８の基端部に設けられたフランジ状部分２５と、これより小さい径を有し、案内孔２２の出口部に設けられた小径部２６とで構成される。小径部２６は、突出部１８のフランジ状部分２５よりも先端側の部分を第２方向Ｄ２に摺動自在に支持する。スプリングばね２４は、止めねじ２７によって閉塞された案内孔２２の底部と、突出部１８のフランジ状部分２５との間に配置される。
【００３７】
図４に示すように、コア案内部７の案内条溝部１４の底面１５には、ボルトの頭部が配置される座ぐり穴２８が設けられる。また、コア案内部７には、座ぐり穴２８から底面１５と反対側の面にかけて貫通したボルト孔２９が設けられる。
【００３８】
図１に示すように、第１金型１のスライドコア６側には可動側型板３０が設けられており、可動側型板３０上に上述の可動側入れ子２１が配置されている。コア案内部７は、可動側入れ子２１の上述の押当て面１９を構成する第２方向Ｄ２に垂直な面と、可動側型板３０の段差面３１とで画定された凹部に配置され、可動側型板３０に固定される。
【００３９】
この固定は、コア案内部７に対して案内条溝部１４側から座ぐり穴２８を介して挿入される六角穴付きのボルト３２で行われる。このとき、ボルト３２は、座ぐり穴２８からボルト孔２９に挿入され、第１金型１を構成する可動側型板３０に設けられた雌ねじ３３に螺合される。
【００４０】
図４に示すように、コア案内部７には、スライドコア６の案内に際し、案内条溝部１４の底面１５からボール部３４を突出させるボールプランジャ３５が設けられる。また、図３に示すように、スライドコア６の凸条部９ａの底面１５に対向する対向面３６には、ボールプランジャ３５と協働してスライドコア６を退避位置Ｓ１に位置決めするための凹部３７が設けられる。
【００４１】
図５に示すように、カム部８は、第１方向Ｄ１と第２方向Ｄ２とに交差する第１カム駆動面３８と、これと反対側に向いた第２カム駆動面３９とを有する。スライドコア６は、カム部８が第１位置Ｋ１から第２位置Ｋ２に移動するときに第１カム駆動面３８からの力を受けてスライドコア６を成形位置Ｓ２に位置させる第１従動面４０と、カム部８が第２位置Ｋ２から第１位置Ｋ１に移動するときに第２カム駆動面３９からの力を受けてスライドコア６に退避位置Ｓ１に移動する方向の力を付与する第２従動面４１とを備える。なお、図５では、成形部１１の図示を省略している。
【００４２】
この構成において、金型が開いた状態のとき、図１に示すように、カム部８は、スライドコア６から第１方向Ｄ１に離れた第１位置Ｋ１に位置する。また、スライドコア６は、コア案内部７のボールプランジャ３５により、退避位置Ｓ１に位置決めされている。図５には、このときのカム部８、スライドコア本体９及びコア案内部７の状態が示されている。
【００４３】
この状態において、金型を閉じるために第１金型１が第１方向Ｄ１に沿って第２金型２の方への移動が開始されると、これに伴ってカム部８は相対的にスライドコア６の方へ移動し始める。そして、カム部８の第１カム駆動面３８がスライドコア６の第１従動面４０に達すると、第１カム駆動面３８と第１従動面４０との摺動が開始し、スライドコア６が第２方向Ｄ２におけるボールプランジャ３５からの力及び付勢機構１６による付勢力を超える力を第１カム駆動面３８から受ける。
【００４４】
これにより、スライドコア６は、コア案内部７による案内に従い、付勢機構１６による付勢力に抗して、成形位置Ｓ２に向かって移動を開始する。そして、金型が閉じた状態に至ると、カム部８が第２位置Ｋ２に達すると同時にスライドコア６が成形位置Ｓ２に到達する。これにより、キャビティ４の形成が完了する。図６には、このときのカム部８、スライドコア本体９及びコア案内部７の状態が示されている。
【００４５】
このとき、スライドコア６の端面１７は、可動側入れ子２１の押当て面１９を構成する第２方向Ｄ２に垂直な面に突き当たり、付勢機構１６の突出部１８は案内孔２２内に丁度収納された状態となる。この後、キャビティ４内に成形材料が注入され、成形材料が固化して成形が完了すると、金型を開くために第１金型１の移動が開始される。
【００４６】
これにより、スライドコア６の第２従動面４１がカム部８の第２カム駆動面３９から力を受けて、スライドコア６の成形部１１が、固化した成形品から離脱し、スライドコア６の退避位置Ｓ１に向かう移動が開始する。その後、第２カム駆動面３９が第２従動面４１を押して、スライドコア６を退避位置Ｓ１まで移動させる。
【００４７】
スライドコア６が退避位置Ｓ１に到達すると、ボールプランジャ３５のボール部３４がスライドコア６の凸条部９ａの凹部３７に落ち込む。これにより、スライドコア６は退避位置Ｓ１に位置決めされる。これと同時にカム部８は、スライドコア６から離れる。その後、金型が開いた状態に達すると、カム部８は、第１位置Ｋ１に到達し、停止する。この状態で、成形品はピンで突き出す等により金型から取り出される。
【００４８】
メンテナンス時には、金型が開いた状態で、退避位置Ｓ１に位置決めされているスライドコア６を、成形位置Ｓ２と反対方向にコア案内部７の案内条溝部１４に沿って引き抜くことにより、ボールプランジャ３５による位置決めを解除して容易にコア案内部７から取り外すことができる。また、これと逆の操作により、スライドコア６を、容易にコア案内部７に対して、退避位置Ｓ１に位置決めされた状態となるように取り付けることができる。
【００４９】
また、スライドコア６をコア案内部７から取り外した状態で、スライドコア６側からボルト３２の頭部にアクセスできるので、容易にボルト３２を外し、コア案内部７を第１金型１の可動側型板３０から取り外すことができる。コア案内部７の取付けも、同様に、容易に行うことができる。
【００５０】
以上のように、本実施形態によれば、付勢機構１６として、第２方向Ｄに沿ってスライドコア６の端面１７から突出部１８を突出させ、第１金型１の押当て面１９を押すことによりスライドコア６を付勢するものを採用している。
【００５１】
このため、従来の付勢機構のように、コア案内部とスライドコアとの間に突出していたピンや、このピンと協働するコア案内部の凹部が不要となり、コア案内部７には、スライドコア６を第２方向Ｄ２に案内する案内条溝部１４を設けるだけで足りる。したがって、上記のピンが緩んで座ぐり穴やボルトに引っ掛かかったり、スペース上の問題が生じたりする恐れなく、案内条溝部１４の底面１５に座ぐり穴２８を設け、これを介して挿入されるボルト３２でコア案内部７を第１金型１に固定することができる。
【００５２】
これにより、金型の運用に際しては、金型が開いた状態において、スライドコア６をコア案内部７から取り外し、コア案内部７の案内面側からボルト３２を操作することにより、コア案内部７の第１金型１への取付け及び取外しを容易に行うことができる。
【００５３】
また、コア案内部７は、その案内条溝部１４の底面１５から第１金型１までの部材の厚さとして、座ぐり穴２８の高さと、そこに収容されるボルト３２の頭部を保持する強度を確保できる厚さがあれば足りる。
【００５４】
このため、ボルトを第１金型１の可動側型板３０の側から挿入してコア案内部７にこのボルトが螺合する雌ねじを設ける場合には、雌ねじ部の強度を確保するために、ある程度のコア案内部７の第１方向Ｄ１の寸法を確保する必要があるのに比べて、コア案内部７の第１方向Ｄ１の寸法を減少させることができる。
【００５５】
また、コア案内部７近傍の第１金型１内に冷却用の水穴が存在する場合でも、コア案内部７を固定するボルト３２が第１金型１側から挿入されないので、容易にその水穴とボルト３２との干渉を回避した構成を採用することができる。
【００５６】
また、突出量規制部２３により突出部１８の突出量が規制されるので、突出部１８やスプリングばね２４をスライドコア６から離脱させることなく、スライドコア６をコア案内部７から取り外すことができる。したがって、スライドコア６等のメンテナンス時には、突出部１８やスプリングばね２４を紛失することなく、容易にメンテナンスを行うことができる。
【００５７】
以上、本発明の実施形態を説明したが、本発明はこれに限定されない。例えば、スライドコア６の成形部１１は、スライドコア本体９のキャビティ４側に、第２方向Ｄ２に平行に配置したボルトで固定するものであってもよい。また、ボールプランジャ３５に代えて、スライドコア６を退避位置Ｓ１に位置決めする部材をコア案内部７に設けてもよい。
【符号の説明】
【００５８】
１…第１金型、２…第２金型、４…キャビティ、６…スライドコア、７…コア案内部、８…カム部、９ａ…凸条部、１４…案内条溝部、１５…底面、１６…付勢機構、１７…端面、１８…突出部、１９…押当て面、２０…押圧機構、２２…案内孔、２３…突出量規制部、２４…スプリングばね（付勢部材）、２８…座ぐり穴、３２…ボルト、３５…ボールプランジャ、３８…第１カム駆動面、３９…第２カム駆動面、４０…第１従動面、４１…第２従動面、Ｄ１…第１方向、Ｄ２…第２方向、Ｓ１…退避位置、Ｓ２…成形位置。
【図１】
2017030331.tif 000003
【図２】
2017030331.tif 000004
【図３】
2017030331.tif 000005
【図４】
2017030331.tif 000006
【図５】
2017030331.tif 000007
【図６】
2017030331.tif 000008
【図７】
2017030331.tif 000009